(57)【特許請求の範囲】
【請求項１】
固定側部材に対してスライド部材をスライド自在に取り付け、且つスライド部材の所定位置に回転式電子部品を取り付け、
一方固定側部材の所定位置に配設したスイッチ接点に対向して設置されるスイッチ押圧部と、スイッチ押圧部から延びてスライド部材に押圧される押圧部と、スイッチ押圧部から延びて固定側部材に回動自在に軸支される軸支部とを具備してなるスイッチ作動部材を設置し、
前記スイッチ作動部材の押圧部と軸支部とを、スイッチ接点の位置よりも回転式電子部品側の位置に位置させ、
前記スライド部材によってスイッチ作動部材の押圧部が押圧されることで、スイッチ作動部材が軸支部を中心に回動してそのスイッチ押圧部がスイッチ接点を押圧することを特徴とする押釦スイッチ付き回転式電子部品。
【請求項２】
前記スライド部材に取り付けた回転式電子部品にはスライド部材のスライド方向に対して略垂直な方向の回転軸で回転する回転操作用のつまみが設けられており、
且つ前記スイッチ作動部材の押圧部と軸支部とは、前記つまみと固定側部材の間の位置まで入り込んでいることを特徴とする請求項１記載の押釦スイッチ付き回転式電子部品。
【発明の詳細な説明】
【０００１】
【発明の属する技術分野】
本発明は、回転式スイッチ等の回転式電子部品に押釦スイッチの機能を設けた押釦スイッチ付き回転式電子部品に関するものである。
【０００２】
【従来の技術】
従来、回転式スイッチのつまみを回転することによってそのスイッチの切替えを行なうと共に、このつまみを半径方向に押圧することで別の押釦スイッチをオンオフする構造の押釦スイッチ付き回転式電子部品が開発され、使用されている。
【０００３】
この種の押釦スイッチ付き回転式電子部品は、例えば携帯電話のメニュー選択・設定スイッチや、ビデオカメラのマニュアルフォーカス調整・設定スイッチや、カメラのアイリス調整・設定スイッチなどとして用いられる。即ち例えば携帯電話の場合で言えば、つまみを回転することでメニューを選択し、その状態でつまみを半径方向に押圧することでそのメニューを設定するように用いられる。
【０００４】
そして本願出願人はこの種の押釦スイッチ付き回転式電子部品として、図４に示すものを開発した。同図に示すようにこの押釦スイッチ付き回転式電子部品は、スライド部材２１０に設けた突起２１１につまみ２３０を回動自在に固定し、スライド部材２１０の表面に取り付けたフレキシブル基板２５０につまみ２３０に取り付けた摺動子２４０を当接し、さらに突起２１１の先端に取り付けたクリック板２６０のクリック部２６９をつまみ２３０に設けたクリック用凹部２３５に係合し、一方スライド部材２１０の外方に設けたバネ収納部２１７内に「く」字状に折り曲げた板バネ２７０を収納して板バネ２７０中央の押圧部２７１を支持板２９０に設けたスイッチ接点２８１上に当接し、同時にその上下両端の係止部２７３，２７５をスライド部材２１０と支持板２９０に固定された押釦用ケース２９５の所定部分に当接して構成されている。
【０００５】
そしてつまみ２３０を回転すると、摺動子２４０がフレキシブル基板２５０に設けたスイッチパターン２５３上を摺動して所望の出力が得られる。一方つまみ２３０を矢印ａ方向に押圧すれば、これと一体にスライド部材２１０もスライド移動して、板バネ２７０がたわめられることで押圧部２７１がスイッチ接点２８１側に突出し、これをオンする。
【０００６】
ところで上記押釦スイッチ付き回転式電子部品は、その小型化・薄型化を図るために発明されたものではあるが、携帯機器の更なる小型化・薄型化などのため、更なる小型化・薄型化が要求されている。特に板バネ２７０を収納した部分は、その全体が携帯機器の内部に入り込む部分なので、その高さの短縮化が求められている。
【０００７】
しかしながら板バネ２７０は「く」字状で比較的長いので、その更なる高さ（長さ）の短縮は困難であった。
【０００８】
【発明が解決しようとする課題】
本発明は上述の点に鑑みてなされたものでありその目的は、従来よりも更に高さ方向（スライド方向）の小型化が図れる押釦スイッチ付き回転式電子部品を提供することにある。
【０００９】
【課題を解決するための手段】
上記問題点を解決するため本発明にかかる押釦スイッチ付き回転式電子部品は、固定側部材に対してスライド部材をスライド自在に取り付け、且つスライド部材の所定位置に回転式電子部品を取り付け、一方固定側部材の所定位置に配設したスイッチ接点に対向して設置されるスイッチ押圧部と、スイッチ押圧部から延びてスライド部材に押圧される押圧部と、スイッチ押圧部から延びて固定側部材に回動自在に軸支される軸支部とを具備してなるスイッチ作動部材を設置し、前記スイッチ作動部材の押圧部と軸支部とを、スイッチ接点の位置よりも回転式電子部品側の位置に位置させ、前記スライド部材によってスイッチ作動部材の押圧部が押圧されることで、スイッチ作動部材が軸支部を中心に回動してそのスイッチ押圧部がスイッチ接点を押圧することを特徴とする。これによってスイッチ作動部材の高さ方向の長さを短くでき、押釦スイッチ付き回転式電子部品の高さ方向の寸法の小型化が図れる。
さらに前記スライド部材に取り付けた回転式電子部品にはスライド部材のスライド方向に対して略垂直な方向の回転軸で回転する回転操作用のつまみが設けられており、且つ前記スイッチ作動部材の押圧部と軸支部とは、前記つまみと固定側部材の間の位置まで入り込んでいることが好ましい。
【００１０】
【発明の実施の形態】
以下、本発明の実施形態を図面に基づいて詳細に説明する。
図１は本発明の一実施形態にかかる押釦スイッチ付き回転式スイッチを示す概略側断面図である。同図に示すようにこの押釦スイッチ付き回転式スイッチは、回転式スイッチＡと押釦スイッチＢとを一体にして構成されている。
【００１１】
ここで回転式スイッチＡの部分は、スライド部材１０に設けた突起１１をつまみ３０に設けた孔３１に挿入することでつまみ３０を回動自在に軸支すると共に、つまみ３０のスライド部材１０に対向する面に摺動子４０を取り付け、スライド部材１０のつまみ３０と対向する面に摺動子４０が摺接するスイッチパターン５３を設けたフレキシブル基板５０を取り付け、さらに突起１１の先端にクリック板６０を取り付けることでクリック板６０につまみ３０が突起１１から抜け出ないようにする機能を兼用せしめて構成されている。
【００１２】
一方押釦スイッチＢの部分は、スライド部材１０の外周から突出するように設けたスライドガイド部１７に凹部１９を形成し、この凹部１９内にスイッチ作動部材７０を配置し、スイッチ作動部材７０のスイッチ押圧部７１に対向する位置にフレキシブル基板８０を配設してこのフレキシブル基板８０を固定側部材である支持板９０に取り付け、一方支持板９０に押釦用ケース９５を固定することで形成される収納部９７内にスライドガイド部１７を上下動自在に収納して構成されている。以下各構成部品について説明する。
【００１３】
ここで図２はつまみ３０を取り付けたスライド部材１０と、押釦用ケース９５とを示す斜視図である。図１，図２に示すようにスライド部材１０は合成樹脂の一体成形品であり、フレキシブル基板５０を載置する基部１３と、基部１３から下方（スライド方向）に突出するように設けられるスライドガイド部１７とを具備して構成されている。基部１３にはその中央から突出する突起１１と、略リング状の外周側壁１５とが設けられている。外周側壁１５のスライドガイド部１７側の部分には、下記するスイッチ作動部材７０の押圧部７５を当接する当接部２１が設けられ、一方突起１１の先端にはさらに横断面小判型の小突起１２が設けられている。また図２に示すようにスライド部材１０の背面側からはＴ字型の係止突起１８が突出し、スライドガイド部１７の左右両側辺にはスライド規制用凹部２３が設けられている。
【００１４】
押釦用ケース９５は前記スライド部材１０のスライドガイド部１７を覆う形状に形成され、その両側から前記スライド規制用凹部２３を通して下記するフレキシブル基板８０の取付孔８５，８５と支持板９０の取付孔９４，９４とに挿入される突起状の係止部９８，９８が設けられている。
【００１５】
つまみ３０は合成樹脂を略円板形状に成形したものであり、その中央には貫通孔３１が設けられ、またスライド部材１０に対向する側の面には金属板製の摺動子４０が取り付けられ、さらに反対側の面に設けた円形の凹部３３内には貫通孔３１を中心にしてリング状に多数の凹凸からなるクリック用凹凸部３５が設けられている。
【００１６】
次にクリック板６０は弾性金属板を略円板状に形成し、その中央に小突起１２を嵌合する小判型の貫通孔６３を設けるとともに、その外周に円弧状の二本のアーム６７，６７を設け、各アーム６７，６７の中央にそれぞれクリック部６９，６９を設けて構成されている。
【００１７】
図３はスイッチ作動部材７０とフレキシブル基板５０，８０と支持板９０とを示す斜視図である。同図及び図１に示すようにスイッチ作動部材７０は、中央下部にスイッチ押圧部７１を設け、このスイッチ押圧部７１の上部中央から押圧用アーム７３を延ばしてその先端に押圧部７５を設け、一方スイッチ押圧部７１の上部両側から２本の軸支用アーム７７，７７を延ばしてその先端近傍に小孔からなる軸支部７９，７９を設けて構成されている。押圧用アーム７３と軸支用アーム７７，７７は、スイッチ押圧部７１の上辺（回転式スイッチＡ側の辺）の部分で反対方向に向けて所定角度ずつ折り曲げられている。即ち押圧用アーム７３と軸支用アーム７７は、所定角度（好ましくは鋭角）開くように形成されている。
【００１８】
次にフレキシブル基板５０は略円形であって中央に前記スライド部材１０の突起１１を貫通する寸法の孔５１が設けられ、また図３の手前側の面には所望のスイッチパターン５３が形成されている。一方フレキシブル基板８０は、その表面中央にドーム形状の弾性金属板からなるクリック板８２を取り付けてなるスイッチ接点８１が設けられており、またその両側には取付孔８５，８５が設けられている。そしてフレキシブル基板５０とフレキシブル基板８０は連結部８７によって連結されており、引き出し部８９から引き出されている。
【００１９】
支持板９０はこの実施形態では金属板製であり、その上部近傍には前記スライド部材１０の係止突起１８を挿入・係止するＴ字型の孔からなる係止部９１が設けられ、またその中央には並列に二つの爪状の係止部９３，９３が設けられ、さらにその下方両側の前記取付孔８５，８５に対応する位置にも取付孔９４，９４が設けられている。
【００２０】
そしてこの押釦スイッチ付き回転式スイッチを組み立てるには、まず図３に示すフレキシブル基板５０を図１に示すようにスライド部材１０の基部１３上に載置して突起１１を孔５１に貫通する。そしてこのスライド部材１０の突起１１を摺動子４０を固定したつまみ３０の孔３１に挿入し、この突起１１先端の小突起１２をクリック板６０の貫通孔６３に嵌合して小突起１２の先端を熱カシメする。これによってつまみ３０の抜けが防止され、同時に摺動子４０先端の摺接部４１がフレキシブル基板５０のスイッチパターン５３に押し付けられて弾接される。これによって図２に示す状態となる。
【００２１】
一方支持板９０の下部にフレキシブル基板８０を載置し、その上にスイッチ作動部材７０を載せる。このときスイッチ作動部材７０の２つの軸支部７９，７９を、支持板９０の係止部９３，９３に引っ掛ける。
【００２２】
そしてこの支持板９０の上に前記つまみ３０を取り付けたスライド部材１０を載置するが、その際スライド部材１０の係止突起１８を支持板９０の係止部９１に挿入して下方向に移動することで係止する。このとき図１に示すようにスイッチ作動部材７０の押圧部７５はスライド部材１０の当接部２１に当接する。そしてスライド部材１０のスライドガイド部１７の上から押釦用ケース９５を被せ、そのとき係止部９８，９８をスライド規制用凹部２３，２３と取付孔８５，８５と取付孔９５，９５に挿入し、支持板９０の裏面で熱カシメする。これによって図１に示す押釦スイッチ付き回転式スイッチが完成する。このとき同図に示すようにスイッチ作動部材７０のスイッチ押圧部７１は、スイッチ接点８１上に当接している。
【００２３】
そしてつまみ３０を回転すれば、摺動子４０の摺接部４１がフレキシブル基板５０のスイッチパターン５３上を摺動してその出力を変化し、同時にクリック板６０のクリック部６９，６９がつまみ３０のクリック用凹凸部３５に係合離脱することでクリック感覚を生じる。
【００２４】
一方つまみ３０を半径方向（矢印Ｃ方向（スライド方向））に押圧すれば、つまみ３０などと共にスライド部材１０が下降し、スイッチ作動部材７０の押圧部７５がスライド部材１０の当接部２１によって押し下げられるので、スイッチ作動部材７０は軸支部７９，７９を中心にして回動しようとし、この結果スイッチ押圧部７１がスイッチ接点８１を押圧してこれを反転させ、オンさせる。つまみ３０の押圧を解除すればクリック板８２やスイッチ作動部材７０は元の位置に自動復帰してスイッチ接点８１がオフする。なおスライド部材１０の上下動は、スライド部材１０のスライド規制用凹部２３，２３に係合する係止部９８，９８によって規制される。
【００２５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や材質であっても、本願発明の作用・効果を奏する以上、本願発明の技術的思想の範囲内である。
【００２６】
例えば上記実施形態ではスライド部材１０に回転式スイッチＡを取り付けた例を示したが、回転式可変抵抗器など、他の回転式電子部品を取り付けても良い。回転式電子部品の構造も上記実施形態に限定されず、要はスライド部材１０に取り付けることができる回転式電子部品であればどのような構造のものであっても良い。
【００２７】
上記実施形態ではスイッチ作動部材７０の軸支部７９，７９を支持板９０に軸支したが、支持板９０以外の他の固定側部材に軸支してもよい。また上記実施形態ではスイッチ接点８１の上にクリック板８２を取り付けたが、その代わりに一方のスイッチ接点を構成する可動接点板を取り付けても良いし、又必ずしもクリック板や可動接点板を取り付けなくても良い。
【００２８】
本発明に用いるスイッチ作動部材７０の構造は上記実施形態の構造に限定されず、例えば図５に示すように軸支用アーム７７，７７を連結部７８で結び、この連結部７８に軸支部７９を設けてもよいなど、種々の変形が可能である。
【００２９】
【発明の効果】
以上詳細に説明したように本発明によれば、スイッチ作動部材の押圧部と軸支部をスイッチ押圧部の位置よりも回転式電子部品側に位置せしめる構造なので、従来よりもさらに高さ方向（スライド方向）の小型化が図れるという優れた効果を有する。
【００３０】
特に押圧部と軸支部を回転式電子部品のつまみの内側まで入り込ませれば、その小型化がさらに有効に行なえる。
【図面の簡単な説明】
【図１】本発明の一実施形態にかかる押釦スイッチ付き回転式スイッチを示す概略側断面図である。
【図２】つまみ３０を取り付けたスライド部材１０と押釦用ケース９５とを示す斜視図である。
【図３】スイッチ作動部材７０とフレキシブル基板５０，８０と支持板９０とを示す斜視図である。
【図４】従来例を示す図である。
【図５】本発明に用いる他のスイッチ作動部材７０を示す斜視図である。
【符号の説明】
Ａ  回転式スイッチ（回転式電子部品）
Ｂ  押釦スイッチ
１０  スライド部材
１１  突起
１３  基部
１７  スライドガイド部
２１  当接部
２３  スライド規制用凹部
３０  つまみ
４０  摺動子
５０  フレキシブル基板
５３  スイッチパターン
６０  クリック板
７０  スイッチ作動部材
７１  スイッチ押圧部
７３  押圧用アーム
７５  押圧部
７７  軸支用アーム
７９  軸支部
８０  フレキシブル基板
８１  スイッチ接点
８２  クリック板
９０  支持板（固定側部材）
９５  押釦用ケース
９７  収納部
９８  係止部
【図１】
0004357091.tif 000002
【図２】
0004357091.tif 000003
【図３】
0004357091.tif 000004
【図４】
0004357091.tif 000005
【図５】
0004357091.tif 000006